(57)【特許請求の範囲】
【請求項１】
原画像の少なくとも一部をそれぞれが含む複数の視野を同時に撮像するための、機械的アクチュエータを使用しないシステムであって、前記複数の視野の少なくとも１つは、遅延を改変する第１の電気活性液晶要素を介して提供された、第１の空間的に調節可能な視野であり、当該システムは、
集束要素と、
ビームスプリッタと、
前記遅延を改変する第１の電気活性液晶要素と、を備え、作動中に、
前記集束要素は、前記原画像を画定する常光ビームを受信し、かつ、前記原画像を前記ビームスプリッタに投影し、
前記ビームスプリッタは、前記原画像を受信すると、第１の導出された画像を画定する第１の常光ビーム、および、第２の導出された画像を画定する第２の常光ビームを提供し、
前記第１の電気活性液晶要素は、常光ビームをチップ／チルトさせ、
前記第１の電気活性液晶要素は、前記第２の導出された画像の受信に応答して、前記第２の導出された画像の伝播方向に対して横方向にシフトされる、第３の導出された画像を画定する第３の常光ビームを提供することを特徴とするシステム。
【請求項２】
前記第３の導出された画像は、光学表面を移動させることを介して、横方向にシフトされる、請求項１に記載のシステム。
【請求項３】
前記第３の導出された画
像は、１つ以上の空間光変調器を介して、横方向にシフトされる、請求項１に記載のシステム。
【請求項４】
作動中に、前記第１の導出された画像を受信し、かつ／または前記第３の導出された画像を受信する、センサをさらに備える、請求項１に記載のシステム。
【請求項５】
作動中に、前記第１の導出された画像を受信する、第１のセンサと、
作動中に、前記第３の導出された画像を受信する、第２のセンサと、をさらに備える、請求項１に記載のシステム。
【請求項６】
前記第１の導出された画像の受信に応答して、第４の導出された画像を提供する、第２の電気活性要素と、
作動中に、前記第４の導出された画像を受信する、第１のセンサと、
作動中に、前記第３の導出された画像を受信する、第２のセンサと、をさらに備える、請求項１に記載のシステム。
【請求項７】
作動中に、前記第１の導出された画像を受信する、第１のセンサと、
作動中に、前記第３の導出された画像を受信する、第２のセンサと、をさらに備え、
前記第１のセンサの画素密度は、前記第２のセンサの画素密度とは異なる、または前記第２のセンサの寸法は、前記第１のセンサの寸法とは異なる、請求項１に記載のシステム。
【請求項８】
作動中に、前記第１の導出された画像および前記第３の導出された画像を受信し、かつ、前記第１の導出された画像および前記第３の導出された画像をセンサに提供する、光学要素をさらに備える、請求項１に記載のシステム。
【請求項９】
作動中に、前記第１の導出された画像および前記第３の導出された画像を受信し、かつ、前記第１の導出された画像および前記第３の導出された画像のうちの選択されたものをセンサに提供する、第２の電気活性要素をさらに備える、請求項１に記載のシステム。
【請求項１０】
作動中に、前記第１の導出された画像および／または前記第３の導出された画像を受信する、第２の電気活性要素をさらに備える、請求項１に記載のシステム。
【請求項１１】
作動中に、前記第１の電気活性液晶要素は、２つ以上の視野を第１の受信光学システムに光学的に伝送し、
前記２つ以上の視野の各々は、前記原画像の視野よりも狭い、請求項１に記載のシステム。
【請求項１２】
作動中に、前記集束要素は、電気活性レンズと共に光ビームの光学経路に沿って配置された流体レンズであり、
前記電気活性レンズは、前記光ビームの光学収差を補正する、請求項１に記載のシステム。
【請求項１３】
前記集束要素は、電気活性レンズである、請求項１に記載のシステム。
【請求項１４】
前記集束要素は、流体レンズである、請求項１に記載のシステム。
【請求項１５】
作動中に、前記第３の導出された画像および／または前記第１の導出された画像を受信する、第１の受信光学システムをさらに備え、
前記第１の受信光学システムは、集束要素を備え、前記集束要素は、拡大された画像を提供することができる、請求項１に記載のシステム。
【請求項１６】
前記ビームスプリッタは、二色性ビームスプリッタである、請求項１に記載のシステム。
【請求項１７】
前記ビームスプリッタは、光学スイッチである、請求項１に記載のシステム。
【請求項１８】
前記ビームスプリッタは、液晶リターダと組み合わされ、
作動中に、前記液晶リターダは、前記第１の導出された画像および／または前記第２の導出された画像を提供する方向を改変する、請求項１に記載のシステム。
【請求項１９】
原画像の少なくとも一部をそれぞれが含む複数の視野を同時に撮像するための、機械的アクチュエータを使用しない方法であって、前記複数の視野の少なくとも１つは、遅延を改変する第１の電気活性液晶要素を介して提供された、第１の空間的に調節可能な視野であり、当該方法は、
遅延を改変する第１の電気活性液晶要素における第２の導出された画像と、原画像の受信に応じて、ビームスプリッタによって提供される、第１の導出された画像および第２の導出された画像と、に応じて、前記第１の電気活性液晶要素から第１の受信光学システムに、第３の導出された画像を提供することを含み、
前記第１の電気活性液晶要素は、常光ビームをチップ／チルトさせることを特徴とする方法。
【請求項２０】
前記第１の導出された画像の受信に応答して、第２の電気活性要素から第４の導出された画像を提供することをさらに含み、
第１のセンサは、前記第４の導出された画像を受信し、
第２のセンサは、前記第３の導出された画像を受信する、請求項１９に記載の方法。
【請求項２１】
原画像の少なくとも一部をそれぞれが含む複数の視野を同時に撮像するための、機械的アクチュエータを使用しない方法であって、前記複数の視野の少なくとも１つは、遅延を改変する第１の電気活性液晶要素を介して提供された、第１の空間的に調節可能な視野であり、当該方法は、
ビームスプリッタにおける原画像の受信に応答して、実質的に同時に、第１の導出された画像を、遅延を改変する第１の受信光学システムに、かつ、第２の導出された画像を第１の電気活性液晶要素に提供することを含み、
前記第１の電気活性液晶要素は、第３の導出された画像を第１の受信光学システムに提供し、
前記第３の導出された画像は、前記第２の導出された画像の伝播方向に対して横方向にシフトされ、
前記第１の電気活性液晶要素は、常光ビームをチップ／チルトさせることを特徴とする方法。
【請求項２２】
前記第１の導出された画像および前記第３の導出された画像は、前記ビームスプリッタの物理的な移動なしに提供される、請求項２１に記載の方法。
【請求項２３】
前記第１の導出された画像の受信に応答して、第２の電気活性要素から第４の導出された画像を提供することをさらに含む、請求項２１に記載の方法。
【請求項２４】
液晶リターダを介して、前記原画像に対する、前記第１の導出された画像、前記第２の導出された画像、および／または前記第３の導出された画像の視野を選択することをさらに含む、請求項２１に記載の方法。
【請求項２５】
二色性要素を介して、前記第１の導出された画像、前記第２の導出された画像、および／または前記第３の導出された画像を提供することをさらに含み、前記第１の導出された画像、前記第２の導出された画像、および／または前記第３の導出された画像は、前記原画像の電磁スペクトルのサブセットから成る、請求項２１に記載の方法。
【請求項２６】
第２の電気活性液晶要素および／または第３の電気活性液晶要素を介した、前記第１の導出された画像および前記第３の導出された画像の受信に応答して、前記第１の受信光学システムは、第４の導出された画像および／または第５の導出された画像を、第２の受信光学システムに提供することをさらに含む、請求項２１に記載の方法。
【発明の詳細な説明】
【発明の詳細な説明】
【０００１】
関連出願への相互参照
本出願は、２０１０年９月１５日に出願された、係属中の米国仮特許出願第６１／３８２９４２号（弁理士整理番号１１４９−００９）、２０１０年９月２８日に出願された、係属中の米国仮特許出願第６１／３８７０２７号（弁理士整理番号１１４９−０１１）、および２０１０年１０月１１日に出願された、係属中の米国仮特許出願第６１／３９１７００号（弁理士整理番号１１４９−０１２）への優先権を主張する。
【発明の背景】
【０００２】
所与のカメラシステムにおいて、視野と解像度との間の関係は、逆である。視野がより多くあるほど、画像化されている任意の所与の詳細な物体の解像度はより少ない。例えば、ある人物の顔が、カメラの視点全体を塞ぐ時、個々の毛髪といった詳細が、見える場合がある。しかしながら、視野が、同じ人物を包含するが、体全体を含むように、増加される時、顔の詳細は、より判別不可能であり、個々の毛髪は、もはや判別されない場合がある。
【０００３】
機械視覚は、カメラ画像がコンピュータメモリにデジタル化され、アルゴリズムが、特性を識別、位置決定、および測定するために使用される方法であると、一部によって見なされる。一部の例としては、郵便局によって郵送されるべき封筒上に書かれる住所が、機械視覚によって「読み取られる」こと、食品パッケージ上のラベルが、正確性について「読み取られる」こと、ならびに機械認識が、ヒトの顔および／または体の位置を識別するために使用されること、がある。
【０００４】
一部の機械視覚用途では、同時により大きい視野の画像を維持しつつ、画像の一部分の解像度を増加させる必要性がある。例えば、カメラが、胴、腕、および／または脚の粗い移動を観察するように、ある人物の体全体の画像を維持する必要性があり得るが、同時の画像もまた、片手の指または眼が注視している方向のより微妙な移動を、より細かく詳細に見るために必要とされる場合がある。かかる使用は、今日、ゲームを制御するために、ジョイスティックおよび加速度計といった、機械的入力デバイスを使用する代わりに、機械視覚が、プレイヤの意図を判別するように、体の移動を測定するために使用されるが、プレイヤは、何も保持する必要がない、ゲームシステムに対して必要とされる。警備および／または工業の他の領域における他の使用もまた、多い。
【０００５】
これを行う最も単純な方法は、一方がより低い解像度に設定され、他方がより高い解像度に設定される、２つのカメラを有し、次いで、より高い解像度のカメラに、関心のより高い解像度を必要とする、所望の関心領域まで、物理的に追跡させることであろう。しかし、かかる構成には欠点がある。例えば、
画像の歪曲／２つの画像間の相違
システムの複雑性
移動が加速、移動、および次いで安定化するスピードを制限する、慣性
費用
重量
サイズ
画像登録（空間的および一時的）
しかしながら、独立したカメラを使用することの最も重大な欠点は、空間的に調節可能な視野を有する第２のカメラが、典型的に、１つの位置から別の位置に物理的に移動しなければならないということであり、今日の技術は、典型的に、必要とされるサイズ、費用、質量、および複雑性レベルで、今日の用途に必要とされるスピードで、カメラが監視している場所を変更する手段を提供することができない。即ち、システムは、典型的に、最大１秒あたり６０回以上の移動分析を行わなければならず、そのため、少なくとも画像フレームレートほど速く、監視場所を変更することができるようになる必要性がある。
【図面の簡単な説明】
【０００６】
多様な潜在的実践的かつ有用な実施形態は、添付の例示的な図面を参照して、ある例示的な実施形態の以下の詳細な説明を通じて、より容易に理解されるであろう。
【図１】システムの例示的な実施形態の側面図である。
【図２】システムの例示的な実施形態の側面図である。
【図３】システムの例示的な実施形態の側面図である。
【図４】システムの例示的な実施形態の側面図である。
【図５】システムの例示的な実施形態の側面図である。
【図６】システムの例示的な実施形態の側面図である。
【図７】システムの例示的な実施形態の側面図である。
【図８】システムの例示的な実施形態のブロック図である。
【図９】システムの例示的な実施形態のブロック図である。
【図１０】システムの例示的な実施形態のブロック図である。
【図１１】システムの例示的な実施形態のブロック図である。
【図１２】方法の例示的な実施形態のフローチャートである。
【図１３】情報デバイスの例示的な実施形態のブロック図である。
【図１４】方法１４０００の例示的な実施形態のフローチャートである。
【図１５】システムの例示的な実施形態のブロック図である。
【図１６】システムの例示的な実施形態１６０００のブロック図である。
【発明を実施するための形態】
【０００７】
ある例示的な実施形態は、光学システムに関するものといった、１つ以上の画像を管理することを含むことができる、および／もしくはそれに関することができる、活動に対して適合される、および／もしくはそれから生じる、システム、機械、デバイス、製造物、回路、組成物、および／またはユーザインターフェース、ならびに／またはそのための方法および／もしくは機械が実装可能な命令を備える機械が読み取り可能な媒体を提供することができる。
【０００８】
２つ以上のカメラセンサによって共有される、単一の、一般的な集光レンズの使用は、これらの問題を克服することができる。各センサは、調節可能な倍率の可能性を含む、それ自身の所望の倍率を受信することができる。一方のセンサは、固定された視野を受信することができ、他方のセンサ（複数を含む）は、空間的に調節可能な視野を受信することができるが、全てのセンサ（複数を含む）は、調節可能な視野を有することができる。
【０００９】
空間的に調節可能な視野は、カメラに対して光ビームを移動させること、および／または光ビームに対してカメラを移動させることによって、調節することができる。光ビームの移動は、光学表面を物理的に移動させること、および／または光変調器（例えば、液晶）を使用して、その方向を改変することによって、達成することができる。
【００１０】
光変調器が利用される場合、「ズームイン、高解像度カメラ」の視野が、数ミリ秒で変更されることを潜在的に可能にすることができる、かかるシステムを作製することができる。広視野カメラは、観察されている物体全体の全体的な運動を監視し続けることができるが、高解像度カメラは、必要に応じて、非常に高スピードで、および／または非常に高反復率で、方向転換することができる。例えば、低解像度カメラが、研究対象の人物が両手を持ち上げたことを検出し、双方の手が高解像度監視を必要とした場合、第２のカメラは、非常に迅速に双方の手を前後に走査することができるが、潜在的に、カメラは、走査がその動きが完了するのを待機していたため、分析のために失われるフレームは全くない。
【００１１】
光学ズームは、調節可能であるか、または固定することができる。調節可能性は、電気活性レンズ、従来のレンズ、流体レンズ、および／または双方のタイプの組み合わせで行うことができる。
【００１２】
光ビームおよび／またはそれが伝播する画像の移動は、透過または反射モードのいずれかである、電気活性チップ／チルトデバイスを使用することによって、制御することができる。移動はまた、従来の機械的アクチュエータまたは電気活性ポリマーを使用して、移動させることができる反射器を、物理的にチップおよびチルトさせることによって制御することができる。反射器は、電気活性および／または非電気活性のいずれであってもよく、即ち、電気活性反射器もまた、物理的にチップおよび／またはチルトさせることができる。
【００１３】
センサ間の光学ズーム力の相違は、単純に、画像センサのサイズを変更することによって制御することができる。例えば、単一の光ビームが同じ光学特性の２つのビームに分割され、一方のビームが特定のサイズのＣＣＤまたはＣＭＯＳセンサ上に方向付けられた場合、半分のサイズであるセンサ上にビームを方向付けることは、２Ｘの倍率を生成するであろう。より小さいセンサは、より大きいセンサによって観察されているより小さいセクションにズームすることができるセンサから、空間的に調節可能な出力を生成するように、空中画像内で空間的に単純に移動することができる。また、ビームを、センサ、またはビームおよびカメラセンサ移動の組み合わせ上に方向転換させることができる。
【００１４】
上の方法はまた、その注視方向への高スピード空間調節にのみ必要とされ得る単一カメラとともに使用することができる。
【００１５】
単一カメラ／焦点面はまた、フィールドシーケンシャルスキームにおいて使用することができ、それにより、焦点、倍率（視野）、および空間的標的領域は、時間内に分散される、高解像度シーンとより大きい低解像度シーンとの間で、変化することができる。焦点および倍率は、従来のレンズと組み合わせた、２つ以上の可変焦点電気光学レンズを使用して、大きいＦＯＶ、低解像度シーンと、小さいＦＯＶ、高解像度シーンとの間で、改変することができる。実質的に同時に、小さい高解像度シーンは、２次元で動作する、電気光学ビームステアリングデバイスによって、焦点面上で中心化することができる。２つのシーンは、カメラのフレームレートの半分で、同じ焦点面上で、時間内にインターレースすることができる。
【００１６】
図１は、主要レンズ１１５０、および／またはセンサ１２５０を備えることができる、システム１０００の例示的な実施形態の側面図である。物体１１００からの光は、原画像を伝播することができる、および／または主要レンズ１１５０を通過することができる、および／またはセンサ１２５０上に入射することができる空中画像１２００を形成することができる。センサ１２５０は、典型的に、ＣＣＤまたはＣＭＯＳセンサであってもよいが、フィルム、または入射光を、処理および／または観察されるべき１つ以上の画像に変換するように設計される任意の他のタイプのセンサであってもよい。得られる画像１３００は、センサ１２５０によって最終的に何を生成することができるかの例である。
【００１７】
図２は、物体２１００からの光を受信することができる主要レンズ２１５０、および／またはより小さいセンサ２３５０を備えることができる、システム２０００の例示的な実施形態の側面図である。図２は、センサ１２５０（図２には図示せず）がより小さいセンサ２３５０で置換される場合の、システムへの効果を示す。空中画像２２００は、依然として同じサイズであってもよいが、より小さいセンサ２３５０は、より少ない面積を有するため、空中画像２２００の一部分のみが、より小さいセンサ２３５０上に入射し、拡大された得られる画像２３００をもたらす。より小さいセンサ２３５０は、典型的に、図２のセンサ１２５０よりも、ｍｍあたりより多くの画素密度を有しなければならない。
【００１８】
図３は、物体３１００からの光を受信することができる主要レンズ３１５０、および／またはより小さいセンサ３３５０を備えることができる、システム３０００の例示的な実施形態の側面図である。図３は、より小さいセンサ３３５０が、新しい場所（しかし、依然として、空中画像３２００が形成される同じ平面内）に物理的に移動される時の、得られる画像３３００への潜在的な効果を示す。効果は、得られる画像を走査することができる、および／または空中画像３２００の任意の特定の関心領域にズームすることができるということである。より小さいセンサ３３５０の移動は、伝統的な機械的アクチュエータおよび／または電気活性アクチュエータを利用することによって、達成することができる。
【００１９】
図４は、物体４１００からの光を受信することができる主要レンズ４１５０、画像センサ４２５０、ビームスプリッタ４３５０、および／またはより小さい第２のセンサ４５００を備えることができる、システム４０００の例示的な実施形態の側面図である。図４は、ビームスプリッタ４３５０の潜在的な追加、およびより小さい第２のセンサ４５００の追加を示す。空中画像４２００および／または第２の空中画像４５５０といった、１つ、２つ、またはそれ以上の空中画像を形成することができる。いずれの空中画像も、画像センサ上に入射することができる。第２のセンサ４５００は、画像センサ４２５０よりも小さくてもよく、これは、得られる画像４３００および４６００が、２つの異なる倍率であることをもたらすことができる。第２のセンサは、センサ４２５０よりも小さく示されているが、それは、同じサイズまたはより大きいサイズであり得る。ビームスプリッタ４４００および第２のセンサ４５００を追加することの結果は、２つの同時に得られる画像４３００および４６００を創出することができ、各々が、異なる倍率または同じ倍率であるということであり得る。
【００２０】
図５は、物体５１００からの光を受信することができる主要レンズ５１５０、第１の空中画像５２００を受信することができる画像センサ５２５０、ビームスプリッタ５４５０、および／またはより小さい第２のセンサ５５００を備えることができる、システム５０００の例示的な実施形態の側面図である。図５は、より小さい第２のセンサ５５００を、第２の空中画像５５５０の平面に沿って移動させることの潜在的な効果を示す。図３で生じ得る同じ効果が、図５に示されており、つまり、第２の得られる画像５６００は、走査することができる、もしくは特定の関心領域にズームすることができる、ならびに／または図４に示される同じ効果を生じることができ、つまり、第２の空中画像５５５０および第１の空中画像５２００という、２つの同時に得られる画像を創出することができる。より小さい第２のセンサ５５００を移動させる能力を追加することによって、センサ５２５０によって生成されている画像を維持することができつつ、第２の得られる画像５６００において異なる関心領域を検査するように、パンするおよび／または傾斜する能力を追加することができる。
【００２１】
図６は、物体６１００からの光を受信することができる主要レンズ６１５０、第１の空中画像６２００を受信することができる第１の画像センサ６２５０、ビームスプリッタ６４５０、第２のセンサ６８５０、ならびに／または追加のリレーレンズ６７００および／もしくは６７５０を備えることができる、システム６０００の例示的な実施形態の側面図である。システム６０００は、単一レンズを含む、任意の数のレンズを利用することができる。光線またはビームは、第３の空中画像６８００を創出するように、第２の空中画像６５００からリレーレンズ６７００および／もしくは６７５０を通って延在する光学セグメントを含むことができる、光学経路に沿って、直線方向に伝播することができる。リレーレンズ６７００および／もしくは６７５０への設計変更は、第３の空中画像６８００のサイズを変化させることができ、これは、第２の得られる画像６６００を改変する第２の方法を提供することができる。
【００２２】
図７は、物体７１００からの光を受信することができる主要レンズ７１５０、第１の空中画像７２００を受信することができる第１の画像センサ７２５０、ビームスプリッタ７４５０、リレーレンズ７７００および／もしくは７７５０、アクチュエータ７９００、ならびに／または追加のチップ／チルトデバイス７９５０を備えることができる、システム７０００の例示的な実施形態の側面図である。光線またはビームは、第３の空中画像７８００を創出するように、第２の空中画像７５５０からリレーレンズ７７００および／もしくは７７５０を通って延在する光学セグメントを含むことができる、光学経路に沿って、直線方向に伝播することができる。図７は、第３の空中画像７８００の平面に沿って移動している第２のセンサ７８５０を示し、これは、第２の得られる画像７６００のパンおよび／または傾斜をもたらすことができる。第２のセンサ７８５０の移動の代わりに、またはそれに加えて、アクチュエータ７９００をビームスプリッタ７４００に追加することができ、ビームスプリッタ７４００の得られる移動は、第３の空中画像７８００を移動させることができる。アクチュエータの代わりに、液晶リターダをビームスプリッタ７４００上および／または内で利用することができ、潜在的に、同様のチップ／チルトを引き起こすが、潜在的にビームスプリッタの物理的移動を伴わない。第２のセンサ７８５０、ビームスプリッタ７４００の移動、および／またはビームスプリッタ７４００への液晶の追加の代わりに、またはそれに加えて、チップ／チルトデバイス７９５０を、ビームスプリッタの下流で光学経路に沿って、どこかに追加することができる。チップ／チルトデバイスは、第３の空中画像７８００を移動させることができ、これは、得られる画像７６００の走査およびズームをもたらすことができる。チップ／チルトデバイスは、伝統的な機械的移動、および／または液晶の遅延を改変することによって創出されるチップ／チルトを利用することができる。チップ／チルトデバイスは、透過性よりもむしろ反射性であってもよく、次いで、光学設計の当業者に既地であるように、第３の空中画像７８００を移動させるように、再位置付けすることができる。
【００２３】
記載されるように機械的移動を利用することは、光学設定全体を移動させることなく、パンおよび／または傾斜が生じることを可能にする。これは、サイズおよび／または質量の低減を提供することができ、関心領域への注視の変更が生じるスピードを強化することができる。いずれかの機械的移動デバイスを液晶デバイスで置換することは、スピードをさらにもっと強化することができ、センサのフレームレートよりも速く注視方向を変更する可能性への扉を開く。
【００２４】
チップ／チルト能力は、いずれかのもしくは全てのチャネル（即ち、双方のセンサ）に追加することができ、ならびに／または３つ以上のセンサを利用することができる。
【００２５】
図８は、集束要素８２００、ビームスプリッタ８３００、液晶リターダ８３７０、８３５０、および／もしくは８３６０、ならびに／または第１の電気活性要素８４００を備えることができる、システム８０００の例示的な実施形態のブロック図である。物体８１００の画像８１１０は、集束レンズ８２００、上に入射する、および／またはそれによって受信される光によって、伝播することができ、原画像８２１０をビームスプリッタ８３００に提供することができる。原画像は、液晶リターダ８３７０によって傍受することができ、これは、原画像および／またはビームスプリッタ８３００に進入する際にその原画像を伝播する光を横方向にシフトすることができる。ビームスプリッタ８３００は、第１の導出された画像８３１０を提供することができ、これは、液晶リターダ８３６０によって傍受することができる。ビームスプリッタは、第２の導出された画像８３２０を提供することができ、これは、第１の電気活性要素８４００によって受信することができる。第２の導出された画像は、液晶リターダ８３５０によって傍受することができる。第１の電気活性要素は、第３の導出された画像８４１０を提供することができる。
【００２６】
図９は、物体９１００から伝播する光９１１０を受信することができる集束要素９２００、ビームスプリッタ９３００、液晶リターダ９３７０、９３５０、および／もしくは９３６０、第２の導出された画像９３２０を受信することができ、第３の導出された画像９４１０を提供することができる、第１の電気活性要素９４００、第１の導出された画像９３１０を受信することができる第１の受信光学システム９５００、ならびに／または第３の導出された画像９６００を受信することができる第２の受信光学システム９６００を備えることができる、システム９０００の例示的な実施形態のブロック図である。第１の受信光学システム９５００および／または第２の受信光学システム９６００は、センサ、ならびに／または電気活性、流体、および／もしくは従来の光学素子を含む、追加の中間光学構成要素であってもよい。
【００２７】
図１０は、物体１０１００から伝播する光１０１１０を受信することができる集束要素１０２００；原画像１０２１０を傍受することができる液晶リターダ１０３７０；ビームスプリッタ１０３００；第１の導出された画像１０７００を傍受することができる液晶リターダ１０３６０；第２の導出された画像１０３２０を傍受することができる液晶リターダ１０３５０；第２の導出された画像１０３２０を受信することができ、第３の導出された画像１０４１０を提供することができる、第１の電気活性要素１０４００；第１の導出された画像１０３１０を受信することができる、および／または第４の導出された画像１０７１０を提供することができる、第２の電気活性要素１０７００を備えることができる、システム１００００の例示的な実施形態のブロック図である。
【００２８】
図１１は、物体１１１００から伝播する光１１１１０を受信することができる集束要素１１２００；原画像１１２１０を傍受することができる液晶リターダ１１３７０；ビームスプリッタ１１３００；第２の導出された画像１１３２０を傍受することができる液晶リターダ１１３５０；第２の導出された画像１１３２０を受信することができ、第２の導出された画像１１３４０を提供することができる、反射器１１３３０；第１の導出された画像１１３３０を提供することができ、液晶リターダ１１３６０によって傍受することができる第１の導出された画像１１３１０を受信することができる、反射器１１３２０；第１の電気活性要素１１４００；第２の電気活性要素１１６００；および／または第１の受信光学システム１１７００を備えることができる、システム１１０００の例示的な実施形態のブロック図である。第１の電気活性要素は、第２の導出された画像１１３２０を受信することができる、および／または第３の導出された画像１１４１０を提供することができる。第２の電気活性要素は、第１の導出された画像１１３１０および／もしくは第３の導出された画像１１４１０を受信することができる、ならびに／または、次いで、第４の導出された画像１１６１０を第１の受信光学システム１１７００に提供することができる。第４の導出された画像は、第１の導出された画像、第３の導出された画像、および／または２つの組み合わせを表すことができる。
【００２９】
図１２は、ある動作的な実施形態において、例えば、図１４のサーバ１４５２０および／または図１４のユーザ情報デバイス１４３００を備えることができる、情報デバイス１２０００の例示的な実施形態のブロック図である。情報デバイス１２０００は、例えば、１つ以上のネットワークインターフェース１２１００、１つ以上のプロセッサ１２２００、命令１２４００を含有する１つ以上のメモリ１２３００、１つ以上の入力／出力（Ｉ／Ｏ）デバイス１２５００、および／またはＩ／Ｏデバイス１２５００に連結される１つ以上のユーザインターフェース１２６００等といった、多くの通信的、電気的、磁気的、光学的、流体的、および／もしくは機械的に連結された物理的構成要素のうちのいずれかを介して、形成することができる、多くの変換回路を備えることができる。
【００３０】
ある例示的な実施形態において、グラフィカルユーザインターフェースといった、１つ以上のユーザインターフェース１２６００を介して、ユーザは、本明細書において記載される製品、サービス、方法、ユーザインターフェース、および／または情報のいずれの研究、設計、モデル化、創出、開発、構築、製造、動作、維持、記憶、市販、販売、送達、選択、指定、要求、注文、受容、返却、評価、および／または推奨に関する情報のレンダリングを見ることができる。
【００３１】
図１３は、方法１３０００の例示的な実施形態のフローチャートである。活動１３１００において、原画像は、ビームスプリッタにおいて受信することができる。活動１３２００において、第２の導出された画像は、電気活性要素に提供される。活動１３３００において、第２の導出された画像は、電気活性要素において受信することができる。活動１３４００において、第３の導出された画像は、第１の受信光学システムに提供することができる。活動１３５００において、第３の導出された画像は、第１の受信光学システムにおいて受信することができる。
【００３２】
図１４は、方法１４０００の例示的な実施形態のフローチャートである。活動１４１００において、コントローラは、第１の受信光学システムおよび／または第２の受信光学システムからの画像のレンダリングを表示することができる。コントローラは、ネットワーク１４４００に、図９に記載されるシステムのレンダリングおよび制御を提供することができる。活動１４２００において、パーソナルコンピュータにおけるユーザは、図９の第１の受信光学システム９５００のレンダリングを受信することができ、レンダリングの領域を選択し、ネットワーク１４４００を通じて、その情報をコントローラに送信し戻すことができる。コントローラ１４１００は、通信ネットワークに指定されたレンダリングを提供する要求に応答して、図９のシステム９０００を適合させることができる。活動１４３００において、別のユーザ情報は、活動１４２００と同じ作業を実施することができる。活動１４４００において、ネットワークは、ネットワークに接続されるデバイスへの、および／またはそれからのメッセージを伝送および／または受信することができる。活動１４５００において、サーバ１４５２０は、画像を、データ記憶デバイス、データベース１４５４０にコピーするように、コントローラ１４１００と通信することができる。活動１４６００において、デバイス１４６２０は、コントローラ１４１００によって提供される画像に関する決定を下すように、ならびにコントローラ１４１００に要求を提供するように、データベース１４６４０からの、および／またはネットワーク１４４００からの情報を使用することができる。活動１４９００において、例示的な電気活性要素１４９２０は、ネットワーク１４４００と通信することができ、コントローラ１４１００からのコマンドを受信することができる。活動１４７００において、サーバ１４７２０は、オペレーティングシステム１４７６０と、データベース１４７４０に通信することができる、コマンドおよび要求を形成することができる、ソフトウェア１４７８０と、を備えることができる。活動１４８００において、デバイス１４８２０は、データベース１４８４０からのデータを、ネットワーク１４４００に提供することができる。
【００３３】
図１５は、物体１５１００から伝播することができる光１５１１０を受信することができる集束要素１５２００；液晶リターダ１５３７０によって傍受することができる原画像１５２１０を受信することができるビームスプリッタ１５３００；液晶リターダ１５３５０によって傍受することができる第２の導出された画像１５３２０を受信することができ、第２の導出された画像１５３４０を提供することができる、反射器１５３３０；第１の電気活性要素１５４００；液晶リターダ１５３６０によって傍受することができる第１の導出された画像１５３１０を受信することができ、第１の導出された画像１５３３０を提供することができる、反射器１５３２０；第２の導出された画像１５３４０を受信することができる、および／または第３の導出された画像１５４１０を提供することができる、第１の電気活性要素１５２００を備えることができる、システム１５０００の例示的な実施形態のブロック図である。第１の受信光学システム１５７００は、第３の導出された画像１５４１０および／または第１の導出された画像１５３３０を受信することができる。
【００３４】
図１６は、図９の可能な第１の受信光学システム９５００および／または図９の第２の受信光学システム９６００の一例である、システム１６０００の例示的な実施形態のブロック図である。システム１６０００は、第１の集束要素１６３１０、第１の追加の電気活性要素１６３２０、第２の集束要素１６３３０、反射器１６３４０、第２の追加の電気活性要素１６３５０、および／またはセンサ１６３６０を備えることができる。源１６３００から第１の集束要素１６３１０に提供される画像１６３０５は、第１の集束要素１６３１０によって受信することができる。集束要素１６３１０は、第１の電気活性要素１６３２０上に画像１６３１５を拡大および／焦点を合わせるように適合させることができる。第１の電気活性要素１６３２０は、画像１６３２５を横方向にシフトするように適合させることができる。第第２の集束要素１６３３０は、反射された画像１６３４５を提供する反射器１６３４０を介して、第２の電気活性要素１６３５０上に画像１６３３５の焦点を合わせるように適合させることができる。反射器１６３４０は、反射された画像１６３４５を横方向にシフトするように適合させることができる。反射器１６３４０は、球状、双曲状、および／または放物状として特徴付けられ得る表面を含むが、これに限定されない、当業者に既知のいずれの形状であってもよい。第２の電気活性要素１６３５０は、画像１６３５５に、反射された画像１６３４５の１つ以上の光学パラメータとは異なる１つ以上の光学パラメータを提供するように適合させることができる。要素のいずれの組み合わせも使用することができ、最終要素は、別の受信光学システムであってもよい。
【００３５】
ある例示的な実施形態は、
集束要素、
ビームスプリッタ、
第１の電気活性要素、
第１の導出された画像を受信するように適合される、および／または第３の導出された画像を受信するように適合される、センサ、
第１の導出された画像を受信するように適合される、第１のセンサ、
第３の導出された画像を受信するように適合される、第２のセンサ、
第１の導出された画像の受信に応答して、第４の導出された画像を提供するように適合される、第２の電気活性要素と、
第４の導出された画像を受信するように適合される、第１のセンサ、
第１の導出された画像および第３の導出された画像を受信するように適合され、第１の導出された画像および第３の導出された画像をセンサに提供するように適合される、光学要素、
第１の導出された画像および第３の導出された画像を受信するように適合され、第１の導出された画像および第３の導出された画像のうちの選択されたものをセンサに提供するように適合される、第２の電気活性要素、
第１の導出された画像および／もしくは第３の導出された画像を受信するように適合される、第２の電気活性要素、ならびに／または
第３の導出された画像および／もしくは第１の導出された画像を受信するように適合される、第１の受信光学システム、を備え、
集束要素は、原画像を受信するように適合され、原画像をビームスプリッタに投影するように適合され、
ビームスプリッタは、原画像を受信すると、第１の導出された画像および第２の導出された画像を提供するように適合され、
第１のセンサの画素密度は、第２のセンサの画素密度とは異なる、または第２のセンサの寸法は、第１のセンサの寸法とは異なり、
第１の電気活性要素は、第２の導出された画像の受信に応答して、第２の導出された画像の伝播方向に対して横方向にシフトされる、第３の導出された画像を提供するように適合され、
第３の導出された画像は、光学表面を移動させることを介して、横方向にシフトされ、
第３の導出された画像は、１つ以上の空間光変調器を介して、横方向にシフトされ、
第３の導出された画像の光学パラメータは、原画像の光学パラメータとは異なり、
第１の電気活性要素は、２つ以上の視野を第１の受信光学システムに光学的に通信するように適合され、
前記２つ以上の視野の各々は、原画像の視野よりも狭く、
集束要素は、電気活性レンズと光学通信する流体レンズであり、
電気活性レンズは、光学収差を補正するように適合され、
集束要素は、電気活性レンズであり、
集束要素は、流体レンズであり、
ビームスプリッタは、二色性ビームスプリッタであり、
ビームスプリッタは、光学スイッチであり、
ビームスプリッタは、液晶リターダと組み合わされ、
第１の受信光学システムは、集束要素を備え、集束要素は、拡大された画像を提供することが可能である、ならびに／または
液晶リターダは、第１の導出された画像および／もしくは第２の導出された画像を提供する方向を改変するように適合される、システムを提供することができる。
【００３６】
ある例示的な実施形態は、
第１の電気活性要素における第２の導出された画像、原画像の受信に応答して、ビームスプリッタによって提供される、第１の導出された画像および第２の導出された画像に応答して、第１の電気活性要素から第１の受信光学システムに、第３の導出された画像を提供することを含む、方法を提供することができる。
【００３７】
ある例示的な実施形態は、
ビームスプリッタにおける原画像の受信に応答して、実質的に同時に、第１の導出された画像を第１の受信光学システムに、および第２の導出された画像を第１の電気活性要素に提供することであって、第１の電気活性要素は、応答して第３の導出された画像を第１の受信光学システムに提供するように適合され、第３の導出された画像は、第２の導出された画像の伝播方向に対して横方向にシフトされる、提供すること、
第１の導出された画像の受信に応答して、第２の電気活性要素から第４の導出された画像を提供すること、
液晶リターダを介して、原画像に対する、第１の導出された画像、第２の導出された画像、および／もしくは第３の導出された画像の視野を選択すること、
二色性要素を介して、第１の導出された画像、第２の導出された画像、および／もしくは第３の導出された画像を提供すること、ならびに／または
第２の電気活性要素および／もしくは第３の電気活性要素を介した、第１の導出された画像および第３の導出された画像の受信に応答して、第１の受信光学システムが、第４の導出された画像および／もしくは第５の導出された画像を、第２の受信光学システムに提供すること、を含み、
第１の導出された画像、第２の導出された画像、および／もしくは第３の導出された画像は、原画像の電磁スペクトルのサブセットから成る、ならびに／または
第１の導出された画像および第３の導出された画像は、機械的アクチュエータを使用せずに提供される、方法を提供することができる。
定義
以下の句が、本明細書において、実質的に使用される時、添付の定義が適用される。これらの句および定義は、先入観を伴うことなく提示され、かつ本出願と一貫して、本出願またはそれへの優先権を主張する任意の出願の審査中、補正を介してこれらの句を再定義する権利が留保される。それへの優先権を主張するいずれの特許の請求項も解釈する目的上、その特許における各定義は、その定義外の主題の明確かつ一義的な否定として機能する。
【００３８】
１つの（「ａ」）―少なくとも１つ。
【００３９】
収差―画像におけるぼやけといった、焦点の欠陥。
【００４０】
活動―行動、行為、ステップ、および／もしくはプロセス、またはその一部分。
【００４１】
アクチュエータ―制御表面および／または他の制御要素を変位させるために必要とされる力を供与する機構。
【００４２】
〜するように適合される―好適な、適合した、および／または指定された機能を実施することが可能である。
【００４３】
アダプタ―装置および／またはシステムの１つ以上の片の異なる部分間の動作的互換性を生じさせるために使用されるデバイス。
【００４４】
改変する―修正する、変更する、および／または異なるものにすること。
【００４５】
および（ならびに）／もしくは（または）―〜と併せて、または〜の代替で、のいずれか。
【００４６】
装置―特定の目的に対して適合される、器械および／またはデバイス。
【００４７】
である（「ａｒｅ」）―存在すること。
【００４８】
関連付ける―結合する、ともに接続する、および／または関係すること。
【００４９】
自動的―ユーザによる影響および／または制御から本質的に独立して、情報デバイスを介して実施される。例えば、自動的光スイッチは、人物が光スイッチを手動で動作させることなく、その「視点」において人物を「見る」とオンになることができる。
【００５０】
ビーム―光子の集中された流れ。
【００５１】
ビームスプリッタ―光ビームを、波長、極性、および／もしくは方向が異なる２つ以上のビームに、ならびに／またはそれから分割ならびに／または結合するように適合されるデバイス。
【００５２】
である（「ｂｅｉｎｇ」）―「ｔｏ  ｂｅ」、ｉｓ、および／または同程度の現在分詞。
【００５３】
ブール論理―論理演算の完全体系。
【００５４】
によって―〜を介して、および／または〜の使用により、および／または〜の助けにより。
【００５５】
〜することができる―少なくとも一部の実施形態において、〜することが可能である。
【００５６】
引き起こす―〜となる、誘発する、促進する、生成する、引き出す、〜の理由となる、もたらす、および／または生じさせること。
【００５７】
回路―文脈によって、：導電性経路、情報伝送機構、および／もしくは通信接続（経路、機構、および／もしくは接続は、切替デバイス（スイッチ、リレー、トランジスタ、および／もしくは論理ゲート等といった）を介して確立される）；ならびに／または導電性経路、情報伝送機構、および／もしくは通信接続（経路、機構、および／もしくは接続は、ネットワークによって含まれる２つ以上の切替デバイスにわたって、ならびに、ネットワークに接続されるが、それによって含まれない、対応する終端システム間で確立される）を備える、物理的システム。
【００５８】
回路―ネットワークによって含まれる２つ以上の切替デバイスにわたって、ならびに、ネットワークに接続されるが、それによって含まれない、対応する終端システム間で確立される、導電性経路および／または通信接続。
【００５９】
組み合わせる―１つのデバイスを別のものと接続すること。
【００６０】
通信する―データおよび／もしくは情報を伝送ならびに／または交換すること。
【００６１】
含む、備える―〜を含むが、それに限定されない。
【００６２】
構成する―特定の使用および／または状況に好適なおよび／または適合したものにすること。
【００６３】
接続する―ともに結合する、および／または締結すること。
【００６４】
含有する―〜を含むが、それに限定されない。
【００６５】
従来の―伝統的な、ならびに／または確立された実践および／もしくは受容された標準に従う。
【００６６】
変換する―変形する、適合する、および／または変更すること。
【００６７】
補正する―矯正する、値を調節する、および／またはより所望される値に変更すること。
【００６８】
連結可能な―ともに結合、接続、および／またはリンクさせることが可能である。
【００６９】
連結―何らかの様態でリンクすること。
【００７０】
創出する―存在させること。
【００７１】
結晶―格子と呼ばれる、周期的な幾何学的規則性でもって、原子が配設される、固体物質。
【００７２】
データ―通常、特別なおよび／もしくは既定の方法で形式化される、ならびに／または概念を表すように組織化される、ならびに／または情報デバイスによる処理に好適な形態で提示される、個別の情報。
【００７３】
データ構造―データが効果的に操作されることを可能にするデータの集合体の組織、および／または特定のデータ操作機能を支援するように設計されるデータ要素間の論理的関係。データ構造は、データ構造の特性を説明するためのメタデータを備えることができる。データ構造の例としては、アレイ、ディクショナリ、グラフ、ハッシュ、ヒープ、リンクリスト、マトリクス、オブジェクト、キュー、リング、スタック、ツリー、および／またはベクトルを挙げることができる。
【００７４】
定義する―〜の概略、形態、および／または構造を確立すること。
【００７５】
導出する―源から取得すること。
【００７６】
判定する―典型的に、調査、推論、および／または計算によって、見出す、取得する、計算する、決定する、推定する、究明する、および／または決定に至ること。
【００７７】
デバイス―機械、製造物、および／またはその集合体。
【００７８】
二色性―（１）常光を成すと考えられ得る、２つの直交する構成要素ベクトルのうちの一方または他方を、より大きい程度まで吸収するための、何らかの材料の特性（これは、２つの構成要素の相対吸収に依存して、ある程度まで偏光した光を生成することをもたらす）、および／または（２）１つの色の光を伝送し、吸収されている光がほとんどない状態で他の色を反射する、光学要素（これらの要素は、通常、誘電材料の多重層から成る）。
【００７９】
異なる―性質、質、量、および／もしくは形態において、似ていないならびに／または違うこと。
【００８０】
デジタル―非アナログおよび／または離散。
【００８１】
方向―何かの間の空間的関係、ならびにそれがそれに沿って指すおよび／もしくは移動する進路；他方に対するいずれかの位置を指定する、空間における２つの点間の距離に依存しない関係；ならびに／または任意の他の位置に対する、いずれかの位置の整合および／もしくは配向が確立される、関係。
【００８２】
各―個々に考慮される群の１つ１つ。
【００８３】
いずれか―２つのうちの一方または他方。
【００８４】
電気活性―材料（物理的）特性と材料の電気（電子）状態との間の相互作用に関する、ならびに／または、それを電場および／もしくは磁場に適用することによって、材料の材料特性を修正することによって動作する、構成要素、デバイス、システム、および／もしくはプロセスを含む、技術の分野。この技術の副分野としては、電気光学が含まれるが、これに限定されない。
【００８５】
電気活性要素―電気活性フィルタ、反射器、レンズ、シャッタ、液晶リターダ、活性（即ち、非受動的）極性フィルタ、電気活性アクチュエータを介して移動可能である電気活性要素、および／または電気活性アクチュエータによって移動可能な従来のレンズといった、電気活性効果を利用する構成要素。
【００８６】
電気光学―材料の電磁（光学）と電気（電子）状態との間の相互作用に関する、ならびに／または、それを電場に適用することによって、材料の光学特性を修正することによって動作する、構成要素、デバイス、システム、および／もしくはプロセスを含む、技術の分野。
【００８７】
要素―構成要素。
【００８８】
推定（する）―（名詞）実際の値に近似する計算された値；（動詞）近似的におよび／または暫定的に計算するおよび／または判定すること。
【００８９】
視界―視点から眼に見える領域。
【００９０】
視野―フォーマットの２つの反対側へカメラレンズの投影中心（後方節点）を通過する２つの線間の角度；カメラが画像を取得することができる空間の範囲。
【００９１】
第５の―順序において、第４のものの後に続く。
【００９２】
フィルタリング―光のサブセットを排除する、改変する、および／または選択するための技術。
【００９３】
第１の―順序、連続、および／または組における、最初の実在物。
【００９４】
流体―ガスおよび／または液体。
【００９５】
流体レンズ―要素の光学特徴を改変するために、流体を使用することができるレンズ。
【００９６】
焦点距離―レンズおよび／またはミラーの表面および／または光学中心からその焦点までの距離。
【００９７】
集束する―あまり鮮明ではない画像からより鮮明な画像を取得すること。
【００９８】
集束―あまり鮮明ではない画像からより鮮明な画像を取得する行為。
【００９９】
第４の―順序において、第３ののものの後に続く。
【０１００】
頻度―指定された周期的な現象が、指定された間隔で発生する、回数。
【０１０１】
から―源、原点、および／またはその場所を示すために使用される。
【０１０２】
さらに―加えて。
【０１０３】
生成する―創出する、産生する、生み出す、および／または存在させること。
【０１０４】
触覚―運動感覚移動のヒトの感覚および／または接触のヒト感覚を含む。多くの潜在的な触覚経験の中には、触覚的接触（接触される）、能動接触、把持、圧力、摩擦、けん引、滑動、伸縮、力、トルク、衝撃、穿刺、振動、運動、加速、引き付け、脈拍、配向、四肢位置、重力、触感、間隙、陥凹、粘度、疼痛、掻痒、水分、温度、熱伝導率、および熱容量の経験を含む、少なくとも部分的に非視覚、非聴覚、および非嗅覚的に知覚される、多くの感覚、感覚における体の位置的相違、感覚における時間に基づく変化がある。
【０１０５】
有する―〜を含むが、それに限定されない。
【０１０６】
ヒト機械インターフェース―情報をユーザに与えるように、および／もしくはユーザから情報を受信するように適合される、ハードウェアおよび／もしくはソフトウェア；ならびに／またはユーザインターフェース。
【０１０７】
画像―実在物および／もしくは現象の少なくとも２次元の表現、再現、および／もしくは絵；ならびに／または物体の各点からの光を、他のどこかの点（画像上の）に集中および／もしくはそこから分岐させる様態で、光の屈折および／もしくは反射によって形成される、空間の別の領域における点への、空間の１つの領域に位置する物体の発光点のポイントマッピング、ならびに／または原物および／もしくはキャリアに入射する光の伝送および／もしくは反射によって生成される物体（原物および／もしくはキャリア）の表現。
【０１０８】
含む―〜を含むが、それに限定されない。
【０１０９】
情報デバイス―パーソナルコンピュータ、ワークステーション、サーバ、ミニコンピュータ、メインフレーム、スーパーコンピュータ、コンピュータ端末、ラップトップ、タブレットコンピュータ（ｉＰａｄのようなデバイスといった）、ウェアラブルコンピュータ、個人用デジタル補助装置（ＰＤＡ）、モバイル端末、Ｂｌｕｅｔｏｏｔｈデバイス、通信器、「スマート」フォン（ｉＰｈｏｎｅのようなデバイスといった）、メッセージングサービス（例えば、Ｂｌａｃｋｂｅｒｒｙ）受信器、ページャ、ファクシミリ、セルラ電話、伝統的な電話、電話デバイス、埋め込みコントローラ、プログラムされたマイクロプロセッサ、マイクロコントローラ、および／もしくは周辺集積回路要素、ＡＳＩＣ、および／もしくは他の集積回路、個別要素回路といったハードウェア電子論理回路、ならびに／またはＰＬＤ、ＰＬＡ、ＦＰＧＡ、および／もしくはＰＡＬといったプログラマブル論理デバイス等といった、任意の汎用および／もしくは専用コンピュータといった、データおよび／もしくは情報を処理することが可能な任意のデバイス。一般的に、本明細書において記載される方法、構造、および／またはグラフィカルユーザインターフェースの少なくとも一部分を実装することが可能な有限状態の機械に位置するデバイスは、情報デバイスとして使用されてもよい。情報デバイスは、１つ以上のネットワークインターフェース、１つ以上のプロセッサ、命令を含有する１つ以上のメモリ、および／または１つ以上の入力／出力（Ｉ／Ｏ）デバイス、Ｉ／Ｏデバイスに連結される１つ以上のユーザインターフェース等といった、構成要素を備えることができる。情報デバイスは、器械、機械、ツール、ロボット、車両、テレビ、プリンタ、「スマート」需給計器等といった、別のデバイスの構成要素であってもよい、および／またはそれらを増補することができる。
【０１１０】
初期化する―使用および／または何らかの未来の事象のために何かを準備すること。
【０１１１】
入力／出力（Ｉ／Ｏ）デバイス―情報デバイスに入力を提供する、および／またはそれから出力を受信するように適合される任意のデバイスする。例としては、例えば、モニタ、ディスプレイ、プロジェクタ、オーバーヘッドディスプレイ、キーボード、キーパッド、マウス、トラックボール、ジョイスティック、ゲームパッド、ホイール、タッチパッド、タッチパネル、ポインティングデバイス、マイクロホン、スピーカ、ビデオカメラ、カメラ、スキャナ、プリンタ、スイッチ、リレー、触覚デバイス、バイブレータ、触覚シミュレータ、および／もしくは触覚パッド（潜在的に、Ｉ／Ｏデバイスを取設する、および／もしくは接続することができるポートを含む）を含む、音響、視覚、触覚、嗅覚、ならびに／または味覚志向のデバイスを挙げることができる。
【０１１２】
据え付ける―適所に接続するおよび／もしくは設定する、ならびに使用のために準備すること。
【０１１３】
命令―ハードウェア、ファームウェア、および／もしくはソフトウェアとして実装することができる指示であり、既定の物理的回路の創出および／もしくは維持を介して、特定の動作および／もしくは機能を実施するように適合される、指示。
【０１１４】
強度―既定の期間および／または既定の領域において、放出されるおよび／または反射される光の量。
【０１１５】
横方向―側面（１つもしくは複数）の、または側面に関する。
【０１１６】
横方向シフト―側面（１つもしくは複数）に対する位置、場所、もしくは形態を変化させること、ならびに／または入射するビームの伝播方向に垂直ないずれの方向にもオフセットすること。
【０１１７】
レンズ―光を集中させ、画像を収束する、カメラ構成要素。
【０１１８】
液体―特徴的な流動の迅速性、分散傾向がほとんど無いもしくは全く無いこと、および比較的高い非圧縮性を呈する、物体。
【０１１９】
論理ゲート―１つ以上の論理入力において論理的動作を実施するように、および物理的に明らかにされる単一の論理出力を生成するように適合される、物理的デバイス。出力もまた論理レベル値であるため、１つの論理ゲートの出力は、１つ以上の他の論理ゲートの入力に接続することができ、かかる組み合わせを介して、複雑な動作を実施することができる。通常、実施される論理は、ブール論理であり、デジタル回路において、最も一般的に見られる。論理ゲートの最も一般的な実装は、レジスタ、トランジスタ、および／もしくはダイオードを使用する電子機器に基づき、かかる実装は、しばしば、集積回路（ＩＣ、マイクロ回路、マイクロチップ、シリコンチップ、および／もしくはチップとしても知られる）の形態で、大きなアレイで見られる。しかしながら、真空管、電磁（例えば、リレー）、機械学（例えば、ギア）、流体、光学素子、化学反応、および／もしくは分子規模を含むＤＮＡに基づいて動作する、論理ゲートを創出することが可能である。各電子的に実装される論理ゲートは、典型的に、２つの入力および１つの出力を有し、各々が、論理レベルおよび／または典型的に、電圧によって物理的に表される状態を有する。いかなる所与の瞬間でも、あらゆる端末は、異なる電圧レベルによって表される、２つの二値論理状態のうちの１つ（「偽」（「低」および／もしくは「０」としても知られる）または「真」（「高」および／もしくは「１」としても知られる））にあるが、端末の論理状態は、回路がデータを処理する際に、しばしば変化することができる、および一般的に変化する。このため、各電子論理ゲートは、典型的に、それが電流を調達および／もしくはシンクして、正確な出力電圧を達成することができるように、電力を必要とする。典型的に、機械が実装可能な命令は、最終的に、「０」および／または「１」の二進値にコード化され、典型的に、電圧、電流、電荷、位相、圧力、重量、高さ、張力、レベル、間隙、位置、速度、運動量、力、温度、極性、磁場、磁力、磁気配向、反射性、分子連鎖、分子量等の変化といった、メモリデバイスの物理的特性の変化として、二進値を記録する、「レジスタ」といった、メモリデバイスの中および／もしくは中に書き込まれる。例示的なレジスタは、合計８「ビット」（１バイト）をコード化する「０１１０１１００」の値を記録し得、ここで、「０」もしくは「１」のいずれかの各値は、「ビット」と呼ばれる（および８ビットは集合的に「バイト」と呼ばれる）。二値ビットは、２つの異なる値のうちの１つのみ（「０」もしくは「１」のいずれか）を有することができるため、２つの飽和状態間を切り替えることが可能ないずれの物理的媒体も、ビットを表すために使用することができることに留意されたい。したがって、二値ビットを表すことが可能な任意の物理的システムは、数的量を表すことができ、潜在的に、特定のコード化された機械が実装可能な命令を介して、それらの数を操作することができる。これは、デジタルコンピューティングの根底にある基本概念のうちの１つである。レジスタおよび／またはゲートレベルにおいて、コンピュータは、これらの「０」および「１」をそれ自体、数字として扱わないが、典型的に、電圧レベル（電子的に実装されるコンピュータの場合）として扱い、例えば、約＋３ボルトの高電圧は、「１」および／もしくは「論理的真」を表し得、約０ボルトの低電圧は、「０」および／もしくは「論理的偽」を表し得る（または、どのように回路が設計されるかに依存して、逆もまた同様）。これらの高および低電圧（もしくは、実装の性質に依存して、他の物理的特性）は、典型的に、一連の論理ゲートに送給され、順に、正確な論理設計を通じて、特定のコード化された機械が実装可能な命令によって指定される、物理的および論理的結果を生成する。例えば、コード化が計算を要求する場合、論理ゲートは、コード化の最初の２ビットをともに付加し、結果「１」（「０」＋「１」＝「１」）を生成し、次いで、この結果を、その後の取り出しおよび読み取りのために、別のレジスタに書き込む。コード化が、何らかの種類のサービスに対する要求である場合、論理ゲートは、順に、何らかの他のレジスタにアクセスおよび／または書き込みし得、順に、要求されたサービスを開始するように、他の論理ゲートをトリガするであろう。
【０１２０】
論理的―概念的表現。
【０１２１】
機械が実装可能な命令―情報デバイスといった機械に、特定の物理的回路の形成を介して、１つ以上の特定の活動、動作、および／もしくは機能を実施させるように適合される指示。時として、「プロセッサ」、「カーネル」、「オペレーティングシステム」、「プログラム」、「アプリケーション」、「ユーティリティ」、「サブルーチン」、「スクリプト」、「マクロ」、「ファイル」、「プロジェクト」、「モジュール」、「ライブラリ」、「クラス」、および／もしくは「オブジェクト」等と呼ばれる実在物を形成することができる指示は、ハードウェア、ファームウェア、および／もしくはソフトウェアにおいて、機械コード、ソースコード、オブジェクトコード、コンパイルされたコード、組み立てられたコード、解釈可能なコード、および／もしくは実行可能なコード等として具現化ならびに／またはコード化することができる。
【０１２２】
機械が読み取り可能な媒体―情報デバイス、コンピュータ、マイクロプロセッサ、および／もしくはコントローラ等といった機械が、そこから１つ以上の機械が実装可能な命令、データ、および／もしくは情報を記憶ならびに／または取得することができる、物理的構造。例としては、メモリデバイス、パンチカード、自動ピアノスクロール等が挙げられる。
【０１２３】
してもよい―少なくとも一部の実施形態において、可能とされるおよび／または許容される。
【０１２４】
機械的に―機械的様態でおよび／または機構によって。
【０１２５】
メモリデバイス―時として永久に、アナログおよび／もしくはデジタル形式で、機械が実装可能な命令、データ、ならびに／または情報を記憶することが可能な装置。例としては、少なくとも１つの非揮発性メモリ、非揮発性メモリ、レジスタ、リレー、スイッチ、ランダムアクセスメモリ、ＲＡＭ、読み取り専用メモリ、ＲＯＭ、フラッシュメモリ、磁気媒体、ハードディスク、フロッピーディスク、磁気テープ、光学媒体、光学ディスク、コンパクトディスク、ＣＤ、デジタル多用途ディスク、ＤＶＤ、および／またはレイドアレイ等が挙げられる。メモリデバイスは、プロセッサに連結することができる、ならびに／または例えば、本明細書に開示される実施形態に従って、プロセッサによって実行されるように適合される命令を記憶および提供することができる。
【０１２６】
方法―異なる状態および／もしくはものに変形されるべき主題上に実施される、ならびに／または特定の装置に結びつく、１つ以上の行為であり、前記１つ以上の行為は、基本原理ではなく、基本原理の全ての使用を阻止しない。
【０１２７】
より（多くの）―追加の。
【０１２８】
移動可能な―非破壊的に移動および／または移転することが可能な。
【０１２９】
より狭い―特に長さとの比較において、小さいおよび／または限られた幅の。
【０１３０】
ネットワーク―通信的に連結された複数のノード、通信デバイス、および／または情報デバイス。ネットワークを介して、かかるノードおよび／もしくはデバイスをリンクすることができる（例えば、リソース（プリンタおよび／もしくはメモリデバイスといった）を共有する、ファイルを交換する、ならびに／またはその間の電子通信を可能にするように、ケーブル、電話線、電力線、光学ファイバ、電波、および／もしくは光ビーム等といった、種々の有線および／もしくはワイヤレス媒体を介して）。ネットワークは、広範なサブネットワークおよび／もしくはプロトコル、例えば、回路切替、公衆切替、パケット切替、無接続、ワイヤレス、仮想、無線、データ、電話、ツイストペア、ＰＯＴＳ、非ＰＯＴＳ、ＤＳＬ、セルラ、電気通信、ビデオ分配、ケーブル、無線、地上波、マイクロ波、ブロードキャスト、衛星、ブロードバンド、企業、世界的、全国的、地域的、広域、バックボーン、パケット切替ＴＣＰ／ＩＰ、ＩＥＥＥ８０２．０３、イーサネット、高速イーサネット、トークンリング、ローカルエリア、広域、ＩＰ、公衆インターネット、イントラネット、私的、ＡＴＭ、超広帯域（ＵＷＢ）、Ｗｉ−Ｆｉ、ＢｌｕｅＴｏｏｔｈ、Ａｉｒｐｏｒｔ、ＩＥＥＥ８０２．１１、ＩＥＥＥ８０２．１１ａ、ＩＥＥＥ８０２．１１ｂ、ＩＥＥＥ８０２．１１ｇ、Ｘ−１０、電力、３Ｇ、４Ｇ、マルチドメイン、および／もしくはマルチゾーンサブネットワークならびに／またはプロトコル、１つ以上のインターネットサービスプロバイダ、１つ以上のネットワークインターフェース、ならびに／またはローカルエリアネットワークに直接接続されていないスイッチ、ルータ、および／もしくはゲートウェイ等といった、１つ以上の情報デバイス、ならびに／または任意のこれらの同等物のうちのいずれかとすることができる、ならびに／またはこれらを利用することができる。
【０１３１】
ネットワークインターフェース―情報デバイスをネットワークに連結することが可能ないずれの物理的および／もしくは論理的デバイス、システム、ならびに／またはプロセス。例示的なネットワークインターフェースは、電話、セルラ電話、セルラモデム、電話データモデム、ファックスモデム、ワイヤレス受信器、通信ポート、イーサネットカード、ケーブルモデム、デジタル加入者回線インターフェース、ブリッジ、ハブ、ルータ、および／もしくは他の類似のデバイス、かかるデバイスを管理するためのソフトウェア、ならびに／またはかかるデバイスの機能を提供するためのソフトウェアを備える。
【０１３２】
上に―上にある（「ｏｎ」、「ｕｐｏｎ」）位置に。
【０１３３】
光学―光、視力、および／もしくは視覚表現の、ならびに／またはこれらに関する。
【０１３４】
光学通信―少なくとも１つの光学伝送器および１つの光学受信器を介した、１つの場所から別の場所への情報の伝達。これらは、光学ビームで情報を転送するために使用され、このビームは、複数の情報信号ならびに／または複数の伝送器および受信器が利用される時の光多重化を含む、最も効果的なおよび／または所望される情報を移動させる方法を可能にするための種々の通信スキームにおいて使用することができる。
【０１３５】
光学パラメータ―光学システムを定義することができる、ならびに／またはそれによって定義することができる、極性、周波数、強度、焦点距離、視野、収差、収差補正、横方向シフト、および／もしくは位相といった、一組の測定可能な因子のうちの少なくとも１つは、その挙動および／もしくは性能を判定および／もしくは特徴付けすることができる、ならびに／またはシステムによって修正することができる。
【０１３６】
光学システム―光学的に関係する、２つ以上の類似のおよび／もしくは様々な光学要素の組み合わせ、ならびに／または実施される全体的な機能が、事実上光学的である非光学構造と組み合わされる光学要素。
【０１３７】
原―時間において全ての他のものに先行する。
【０１３８】
パケット―デジタルパケット切替ネットワークといったネットワーク内および／もしくはネットワークにわたって、伝送のための特定の方法で組織化され、伝送されるべきデータおよび宛先アドレスといったある制御情報を備える、データ束に対する一般用語。
【０１３９】
パラメータ―感知された、測定された、および／または計算された値。
【０１４０】
知覚可能な―ヒトの感覚によって知覚されることが可能な。
【０１４１】
物理的―有形の、現実の、および／もしくは実際の。
【０１４２】
物理的に―有形的に、現実的に、および／もしくは実際的に存在する、発生する、生じる、作用する、ならびに／または動作する。
【０１４３】
複数―複数のおよび／または２つ以上である状態。
【０１４４】
既定の―事前に確立された。
【０１４５】
プリズム―光をスペクトルに分散させるため、光を反射させるため、および／または光を偏位させるために、しばしば三角形の端部および四角形の側部を有する、透明な多角形の固体。それらは、分光器、双眼鏡、潜望鏡等において使用される。
【０１４６】
確率―発生の尤度の量的表現。
【０１４７】
プロセッサ―ハードウェア、ファームウェア、および／もしくはソフトウェアを利用し、特定の物理的回路を形成する複数の論理ゲート上で動作するブール論理を介して、一組の機械が実装可能な命令によって定義される特定の作業を実施するように物理的に適合可能である、機械。プロセッサは、作業（複数を含む）を実施するように、機械的、空気圧、水圧、電気、磁気、光学、情報的、化学的、および／もしくは生物学的原理、機構、適合、信号、入力、ならびに／または出力を利用することができる。ある実施形態において、プロセッサは、情報を操作、分析、修正、および／もしくは変換すること、機械が実装可能な命令および／もしくは情報デバイスによる使用のために情報を伝送すること、ならびに／または情報を出力デバイスにルーティングすることによって、情報に作用することができる。プロセッサは、中央処理装置、ローカルコントローラ、リモートコントローラ、並列コントローラ、および／もしくは分散コントローラ等として、機能することができる。別途記載されない限り、プロセッサは、Ｓａｎｔａ  Ｃｌａｒａ，ＣａｌｉｆｏｒｎｉａのＩｎｔｅｌ  Ｃｏｒｐｏｒａｔｉｏｎによって製造される、Ｐｅｎｔｉｕｍ系のマイクロプロセッサといった、マイクロコントローラおよび／もしくはマイクロプロセッサといった、汎用デバイスとすることができる。ある実施形態において、プロセッサは、そのハードウェアおよび／もしくはファームウェアにおいて、本明細書において開示される実施形態の少なくとも一部を実装するように設計されている、特定用途向け集積回路（ＡＳＩＣ）および／もしくはフィールド・プログラマブル・ゲート・アレイ（ＦＰＧＡ）といった、専用デバイスとすることができる。プロセッサは、コントローラ上に位置することができる、およびその能力を使用することができる。
【０１４８】
予想する―計算する、推定する、および／または予測すること。
【０１４９】
提供する―供与する、供給する、与える、伝達する、送信する、および／または利用可能にすること。
【０１５０】
受信―受信の行為。
【０１５１】
受信する―信号として得る、採る、獲得する、および／または取得すること。
【０１５２】
受信すること―取得すること、採ること、および／または獲得すること。
【０１５３】
推奨する―提唱する、称賛する、推薦する、および／または承認する．
相対的―他の何かに言及しておよび／または比較して考慮される。
【０１５４】
レンダーリングする―例えば、物理的に、化学的に、生物学的に、電子的に、電気的に、磁気的に、光学的に、音響的に、流体的に、および／もしくは機械的的等に、例えば、視覚、音響、および／もしくは触覚等の手段を介した、例えば、データ、コマンド、テキスト、グラフィック、音響、ビデオ、アニメーション、および／もしくはハイパーリンク等、ならびに／または例えば、ディスプレイ、モニタ、電気紙、眼球インプラント、蝸牛インプラント、スピーカ、バイブレータ、シェーカ、力フィードバックデバイス、スタイラス、ジョイスティック、ステアリングホイール、手袋、送風器、加熱器、冷却器、ピンアレイ、触覚タッチスクリーン等を介した描写として、ヒトに知覚可能な形態に、情報を変換すること。
【０１５５】
反復して―何度も；繰り返して。
【０１５６】
要求―〜に対する要望を表現すること、および／または〜を求めること。
【０１５７】
リターダ―その開始信号が与えられた後、動作の性能の完了の遅延を提供する、デバイス、例えば、ダッシュポット、時間遅延スイッチ等。光学構成要素において使用される液晶リターダの場合、光の伝播は、遅らされ、材料の屈折率を改変する。
【０１５８】
前記―請求項において使用されるとき、先に導入されているその後の請求項の用語を示す冠詞。
【０１５９】
第２の―順序において第１の項目の直後にあること。
【０１６０】
選択する―代替の中から選択（「ｃｈｏｉｃｅ」および／もしくは「ｓｅｌｅｃｔｉｏｎ」）を行う、示す、ならびに／または実行すること。
【０１６１】
センサ―物理的量（例えば、温度、圧力、容量、および／もしくは音量等）を測定し、その物理的量を何らかの種類の信号（例えば、電圧、電流、電力等）に変換するために使用されるデバイス。センサは、例えば、圧力、温度、流れ、質量、熱、光、音、湿度、近接、位置、間隙、計数、速度、振動、電圧、電流、容量、抵抗、インダクタンス、および／または電磁気放射等を測定する、任意の器具といった、任意の器具とすることができる。かかる器具は、例えば、近接スイッチ、光センサ、熱電対、レベル指示デバイス、スピードセンサ、電圧インジケータ、電流インジケータ、オン／オフインジケータ、および／または流量計等を備えることができる。
【０１６２】
サーバ―ネットワークに通信的に連結されるように適合される、ならびに少なくとも１つのクライアントに対して、即ち、ネットワークに通信的に連結される少なくとも１つの他の情報デバイスに対して、および／もしくはネットワークに通信的に連結される別の情報デバイス上で実行する少なくとも１つのプロセスに対して、少なくとも１つのサービスを提供するように適合される、情報デバイスおよび／またはその上で実行するプロセス。一例は、ローカルドライブを有し、リモートクライアントからの、そのドライブ上のファイルを読み取る、書き込む、および／または管理するための要求を供給する、ファイルサーバである。別の例は、電子メールメッセージを受け取る、一時的に記憶する、リレーする、および／または送達する、少なくとも１つのプログラムを提供する、電子メールサーバである。さらに別の例は、データベースクエリを処理する、データベースサーバである。なお別の例は、共有物理的リソースおよび／もしくはデバイス（例えば、情報デバイス、プリンタ、モデム、スキャナ、プロジェクタ、ディスプレイ、光、カメラ、警備機器、近接読取器、カード読取器、キオスク、ＰＯＳ／小売機器、電話システム、住居用機器、ＨＶＡＣ機器、医療機器、実験室機器、工業機器、機械ツール、ポンプ、ファン、モータドライブ、スケール、プログラマブル論理コントローラ、センサ、データコレクタ、アクチュエータ、アラーム、アナンシエータ、および／もしくは入力／出力デバイス等）の、ネットワーク化された、および／もしくはプログラム可能な、アクセス、ならびに／または監視、管理、および／もしくは制御を提供する、デバイスサーバである。
【０１６３】
組―関係する複数。
【０１６４】
シフト―位置、方向、場所、または形態を変更すること。
【０１６５】
シャッタ―曝露時間を制御するために、光の通過を遮断および／または遮断解除するためのデバイス。
【０１６６】
信号―（動詞）通信する；（名詞）活動のための機械が実装可能な命令、ならびに／または事前に決められた意味を有する、１つ以上の文字（ｌｅｔｔｅｒ）、言葉、文字（ｃｈａｒａｃｔｅｒ）、記号、信号フラグ、視覚ディスプレイ、および／もしくは特殊音等といった、情報をコード化することができる、電力、エネルギー、圧力、流速、粘度、密度、トルク、衝撃、力、周波数、位相、電圧、電流、抵抗、起磁力、磁場強度、磁場束、磁束密度、リラクタンス、透過性、屈折率、光学波長、偏光、反射率、透過率、位相シフト、濃度、および／もしくは温度等といった、空気圧、水圧、音響、流体、機械、電気、磁気、光学、化学、および／もしくは生物学的変数といった、物理的変数における、１つ以上の自動的に検出可能な変化。文脈によっては、信号および／もしくはその中にコード化される情報は、同期的、非同期的、ハードリアルタイム、ソフトリアルタイム、非リアルタイム、連続的に生成、連続的に変化、アナログ、離散的に生成、離散的に変化、量子化、デジタル、ブロードキャスト、マルチキャスト、ユニキャスト、伝送、伝達、受信、連続的に測定、離散的に測定、処理、コード化、暗号化、多重化、変調、拡散、逆拡散、復調、検出、逆多重化、解読、および／または復号化等することができる。
【０１６７】
同時に―実質的に同じ時間に。
【０１６８】
溶液―実質的に均質な分子の混合物および／または２つ以上の物質の組み合わせ。
【０１６９】
専用コンピュータ―複数の論理ゲートを有するプロセッサデバイスを備えるコンピュータおよび／もしくは情報デバイスであって、それにより、それらの論理ゲートの少なくとも一部分は、プロセッサによる特定の機械が実装可能な命令の実装を介して、電圧、電流、電荷、位相、圧力、重量、高さ、張力、レベル、間隙、位置、速度、運動量、力、温度、極性、磁場、磁力、磁気配向、反射性、分子連鎖、分子量等といった、少なくとも１つの物理的および測定可能な特性における変化を経験し、それにより、直接、特定の機械が実装可能な命令を、論理ゲートの特定の構成および特性（複数を含む）に結びつける。電子コンピュータの文脈において、論理ゲートにおける各かかる変化は、特定の電気回路を創出し、それにより、直接、特定の機械が実装可能な命令を、その特定の電気回路に結びつける。
【０１７０】
専用プロセッサ―複数の論理ゲートを有するプロセッサデバイスであって、それにより、それらの論理ゲートの少なくとも一部分は、プロセッサによる特定の機械が実装可能な命令の実装を介して、電圧、電流、電荷、位相、圧力、重量、高さ、張力、レベル、間隙、位置、速度、運動量、力、温度、極性、磁場、磁力、磁気配向、反射性、分子連鎖、分子量等といった、少なくとも１つの物理的および測定可能な特性における変化を経験し、それにより、直接、特定の機械が実装可能な命令を、論理ゲートの特定の構成および特性（複数を含む）に結びつける。電子コンピュータの文脈において、論理ゲートにおける各かかる変化は、特定の電気回路を創出し、それにより、直接、特定の機械が実装可能な命令を、その特定の電気回路に結びつける。
【０１７１】
スペクトル―一般的な物理的特性の規模に従って順序付けられる、光波および／または粒子としての、実在物の連続体。
【０１７２】
記憶する―典型的に、メモリ内に、データを配置する、保持する、および／または保有すること。
【０１７３】
サブセット―ある組の一部分。
【０１７４】
実質的に―大きい範囲および／または程度まで。
【０１７５】
〜といった―例えば。
【０１７６】
支持する―特に、下から重みを支えること。
【０１７７】
表面―物体の外側境界ならびに／またはかかる境界を構成するおよび／もしくはそれに相似する材料層。
【０１７８】
スイッチ―（動詞）１つ以上の回路を形成、開放、および／もしくは閉鎖すること；電気および／もしくは情報経路を形成、完了、および／もしくは断絶すること；複数の利用可能な経路および／もしくは回路から、経路および／もしくは回路を選択すること；ならびに／またはネットワークにおける異種な伝送経路セグメント間（もしくはネットワーク間）の接続を確立すること；ならびに／または（名詞）切り替えるように適合される、機械的、電気、および／もしくは電子デバイスといった、物理的デバイス；および／もしくは信号の伝播を実質的に迂回させるおよび／もしくは阻止する、デバイス。
【０１７９】
システム―機構、デバイス、機械、製造品、プロセス、データ、および／または命令の集合であり、１つ以上の特定の機能を実施するように設計される集合。
【０１８０】
〜よりも―相違を示すある言葉の後で、第２の要素を導入するために使用される。
【０１８１】
第３の―順序において第２の項目の直後にあること。
【０１８２】
変形する―測定可能な形態、外観、性質、および／または特徴に変更すること。
【０１８３】
伝送する―信号として送信する、提供する、供与する、および／または供給すること。
【０１８４】
〜すると―〜の、〜の中の、〜の時の、および／または〜の間の出来事。
【０１８５】
ユーザインターフェース―情報をユーザに与える、および／もしくはユーザから情報を要求するための任意のデバイス。ユーザインターフェースは、テキスト、グラフィック、音響、ビデオ、アニメーション、および／または触覚要素のうちの少なくとも１つを含む。テキスト要素は、例えば、プリンタ、モニタ、ディスプレイ、プロジェクタ等によって提供することができる。グラフィック要素は、例えば、モニタ、ディスプレイ、プロジェクタ、および／または光、フラグ、ビーコン等といった、視覚指示デバイスを介して、提供することができる。音響要素は、例えば、スピーカ、マイクロホン、ならびに／または他の音生成および／もしくは受信デバイスを介して、提供することができる。ビデオ要素および／またはアニメーション要素は、例えば、モニタ、ディスプレイ、プロジェクタ、および／または他の視覚デバイスを介して、提供することができる。触覚要素は、例えば、非常に低い周波数のスピーカ、バイブレータ、触覚スティミュレータ、触覚パッド、シミュレータ、キーボード、キーパッド、マウス、トラックボール、ジョイスティック、ゲームパッド、ホイール、タッチパッド、タッチパネル、ポインティングデバイス、および／または他の触覚デバイス等を介して、提供することができる。ユーザインターフェースは、例えば、１つ以上の文字、数字、記号等といった、１つ以上のテキスト要素を含むことができる。ユーザインターフェースは、例えば、画像、写真、図、アイコン、ウィンドウ、タイトルバー、パネル、シート、タブ、ドロア、マトリクス、テーブル、フォーム、カレンダ、アウトラインビュー、フレーム、ダイアログボックス、静的テキスト、テキストボックス、リスト、ピックリスト、ポップアップリスト、プルダウンリスト、メニュー、ツールバー、ドック、チェックボックス、ラジオボタン、ハイパーリンク、ブラウザ、ボタン、制御、パレット、プレビューパネル、色ホイール、ダイアル、スライダ、スクロールバー、カーソル、ステータスバー、ステッパ、および／または進捗インジケータ等といった、１つ以上のグラフィック要素を含むことができる。テキストおよび／もしくはグラフィック要素は、外観、背景色、背景スタイル、ボーダスタイル、ボーダ厚、前景色、フォント、フォントスタイル、フォントサイズ、整合、行間隔、インデント、最大データ長、検証、クエリ、カーソルタイプ、ポインタタイプ、自動サイジング、位置、および／または寸法等を、選択、プログラム、調節、変更、指定等するために使用することができる。ユーザインターフェースは、例えば、ボリューム制御、ピッチ制御、スピード制御、音声選択、および／または音響再生、スピード、一時停止、早送り、反転等を制御するための１つ以上の要素といった、１つ以上の音響要素を含むことができる。ユーザインターフェースは、例えば、ビデオ再生、スピード、一時停止、早送り、反転、ズームイン、ズームアウト、回転、および／または傾斜等を制御する要素といった、１つ以上のビデオ要素を含むことができる。ユーザインターフェースは、例えば、アニメーション再生、一時停止、早送り、反転、ズームイン、ズームアウト、回転、傾斜、色、強度、スピード、周波数、外観等を制御する要素といった、１つ以上のアニメーション要素を含むことができる。ユーザインターフェースは、例えば、触覚刺激、力、圧力、振動、運動、変位、温度等を利用する要素といった、１つ以上の触覚要素を含むことができる。
【０１８６】
変化する―〜の特徴および／もしくは属性における変化を修正する、改変する、ならびに／または行うおよび／もしくは引き起こすこと。
【０１８７】
介して―によって、および／または利用して。
【０１８８】
重み―重要性を示す値。
【０１８９】
ｗｈｅｒｅｉｎ―「ｗｈｉｃｈ」、「ａｎｄ」、および／または「ｉｎ  ａｄｄｉｔｉｏｎ  ｔｏ」に関する。
【０１９０】
ｗｈｉｃｈ―指定される先行詞を表すために、節内で使用されるように適合される代名詞。
【０１９１】
〜を伴って―〜に付随して．
〜を伴わずに―〜に付随せずにおよび／または〜を欠いて。
注記
特許請求される主題の種々の実質的かつ具体的に実用的かつ有用な例示的な実施形態は、当業者によって特許請求される主題を実装するために、発明者（複数を含む）に既知の、もしある場合、最良の形態を含め、表記的および／または図示的に、本明細書において記載される。本明細書において記載される１つ以上の実施形態の多くの可能な変形（例えば、修正、増強、装飾、精錬、および／もしくは強化等）、詳細（例えば、種、態様、ニュアンス、および／もしくは精緻化等）、ならびに／または同等物（例えば、代用、置換、組み合わせ、および／もしくは代替等）のうちのいずれも、当業者の当該技術分野の全体の専門知識および／もしくは知識に依存して、かつ必要以上の実験を行うことなく、本文書を一読すれば、当業者には明らかとなり得る。発明者（複数を含む）は、当業者が、適宜、かかる変形、詳細、および／もしくは同等物を実装することを予期し、したがって、発明者（複数を含む）は、特許請求される主題が、具体的に本明細書において記載される以外に、実践されることを意図する。したがって、法律によって許容されるように、特許請求される主題は、その特許請求される主題の全ての変形、詳細、および同等物を含み、網羅する。さらに、法律によって許容されるように、本明細書において記載される特徴、機能、活動、物質、および／もしくは構造的要素のあらゆる組み合わせ、ならびに全ての可能なその変形、詳細、および同等物は、別途明確に本明細書において示されない限り、明確かつ具体的に特許請求権が放棄されない限り、または別途文脈によって明確に相反しない限り、特許請求される主題によって包含される。
【０１９２】
本明細書において提供される、いずれかのおよび全ての例、または例示的な言語（例えば、「ｓｕｃｈ  ａｓ（〜といった）」）の使用は、１つ以上の実施形態をより良好に解明することのみを意図し、別途記載されない限り、いずれの特許請求される主題の範囲においても限定をもたらさない。本明細書におけるいかなる言語も、いずれの特許請求されない主題も、特許請求される主題の実践に不可欠であるとして示すとして解釈されるべきではない。
【０１９３】
このため、本文書および／もしくはそれへの優先権を主張するいずれかの文書のいずれかの請求項であるかどうかを問わず、ならびに元来提示されるか、そうでないかを問わず、いずれかの請求項に関して、例えば、明示的な定義、断定、もしくは議論を介して、相反すると明確に指定されない限り、または文脈によって明確に相反しない限り、本文書のいずれの部分（例えば、発明の名称、分野、背景、概要、説明、要約、図面等）の内容にかかわらず、
いずれの特定の記載される特徴、機能、活動、物質、もしくは構造的要素の包含に対しても、いずれの特定の活動の順序に対しても、いずれの物質の特定の組み合わせに対しても、またはいずれの要素の特定の相互関係に対しても、要件は無い；
いかなる記載される特徴、機能、活動、物質、または構造的要素も、「不可欠」ではない；
いずれの２つ以上の記載される物質も混合、組み合わせ、反応、分離、および／または隔離され得る；
いずれの記載される特徴、機能、活動、物質、および／または構造的要素も、統合、隔離、および／または複製され得る；
いずれの記載される活動も手動的に、半自動的に、および／または自動的に実施され得る；
いずれの記載される活動も反復され得、いずれの活動も複数の実在物によって実施され得、および／またはいずれの活動も複数の権限において実施され得る；かつ
いずれの記載される特徴、機能、活動、物質、および／もしくは構造的要素も、特定的に除外され得、活動の順序は変化し得、ならびに／または構造的要素の相互関係は変化し得る。
【０１９４】
種々の実施形態を記載する文脈において（特に、以下の請求項の文脈において）、「ａ」、「ａｎ」、「ｓａｉｄ」、「ｔｈｅ」という用語、および／または同様の指示対象の使用は、別途本明細書において示されない限り、または文脈によって明確に相反しな限り、単数および複数の双方を網羅すると解釈されるものとする。
【０１９５】
「ｃｏｍｐｒｉｓｉｎｇ（備える、含む）」、「ｈａｖｉｎｇ（有する）」、「ｉｎｃｌｕｄｉｎｇ（含む）」、および「ｃｏｎｔａｉｎｉｎｇ（含有する）」という用語は、別途記載されない限り、制約のない用語（即ち、「〜を含むが、それに限定されない」を意味する）として解釈されるものとする。
【０１９６】
任意の数または範囲が本明細書において記載される時、別途明確に記載されない限り、その数または範囲は、おおよそである。本明細書における値の範囲の記述は、別途本明細書において示されない限り、範囲内にある各別個の値に個々に言及する、簡潔な方法として機能することを意図するに過ぎず、各別個の値、およびかかる別個の値によって定義される各別個の部分的範囲は、それが本明細書において個々に記述されるかのように、本明細書に組み込まれる。例えば、１から１０の範囲が記載される場合、その範囲は、例えば、１．１、２．５、３．３３５、５、６．１７９、８．９９９９等といった、その間の全ての値を含み、かつ、例えば、１から３．６５、２．８から８．１４、１．９３から９等といった、その間の全ての部分的範囲を含む。
【０１９７】
請求項に記載されるいずれかの句（即ち、１つ以上の言葉）の後に図面の要素番号が続く時、その図面要素番号は、請求項の範囲において例示的なものであり、限定するものではない。
【０１９８】
本文書のいずれの請求項も、「〜するための手段」という正確な句の後に動名詞に続かない場合、３５  ＵＳＣ  １１２の第６項を行使することを意図しない。
【０１９９】
本明細書において参照することによって組み込まれているいずれの資料（例えば、米国特許、米国特許出願、書籍、記事等）におけるいずれの情報も、法律によって許容されるその最大の授権程度までだが、かかる情報と、本明細書において記載される他の記載および図面との間に矛盾が存在しない程度のみまで、その全体として、本明細書において参照することにより、組み込まれる。本明細書における、またはそれへの優先権を主張する、いずれの請求項も無効にするであろう矛盾を含む、かかる矛盾の場合において、かかる資料におけるいずれのかかる矛盾する情報も、具体的に、本明細書において、参照することにより、組み込まれない。
【０２００】
本文書内、およびそれに関するいずれの特許出願の審査中は、いずれの特許請求される主題へのいずれの言及も、その特定の時点のみにおいて、その時に係属中の特許請求される主題の正確な言語に言及することが意図される。
【０２０１】
したがって、請求項自体、および本明細書において使用される句のいずれの提供される定義以外の、本文書のあらゆる部分（例えば、発明の名称、分野、背景、概要、説明、要約、図面等）は、事実上、例解として見なされ、制限としては見なされないものとする。本文書に基づいて発行するいずれの特許のいずれの請求項によって保護される主題の範囲も、本文書の文脈によって通知されるように、その請求項（およびその全ての法律上の同等物）の正確な言語、ならびにその請求項において使用されるいずれの句のいずれの提供される定義によってのみ、定義および限定される。
【図１】
0005963754.tif 000002
【図２】
0005963754.tif 000003
【図３】
0005963754.tif 000004
【図４】
0005963754.tif 000005
【図５】
0005963754.tif 000006
【図６】
0005963754.tif 000007
【図７】
0005963754.tif 000008
【図８】
0005963754.tif 000009
【図９】
0005963754.tif 000010
【図１０】
0005963754.tif 000011
【図１１】
0005963754.tif 000012
【図１２】
0005963754.tif 000013
【図１３】
0005963754.tif 000014
【図１４】
0005963754.tif 000015
【図１５】
0005963754.tif 000016
【図１６】
0005963754.tif 000017